(57)【要約】【課題】畦畔や土盛り路面の法面等、雨水によって崩壊しやすい箇所の保護を、畦畔等の保護面形状に対して柔軟に対応できるカバー部材を採用して、耐風能力に優れた構造で実現する。【解決手段】柔軟性を備えたシート状のカバー部材１と、所定長さの受け棒体２と、上部に受け棒体の抱持部３２を備えた止着板３とで構成し、保護対象面を被覆するカバー部材の端部を受け棒体に添わせ、抱持部で受け棒体との間にカバー部材を挟み込むようにして一体化すると共に、止着板を土中に差し入れてなる。【選択図】　図２
2004052452.tif 000002
【特許請求の範囲】
【請求項１】
柔軟性を備えたシート状のカバー部材と、所定長さの受け棒体と、上部に受け棒体の抱持部を備えた止着板とで構成し、止着板を保護対象の裾部分の土中に差し入れると共に、保護対象面を被覆したカバー部材の端部に受け棒体を添わせて、抱持部内に受け棒体を圧入し、カバー部材を挟持してなることを特徴とする畦畔等の保護構造。
【請求項２】
保護対象面を被覆したカバー部材の表面側に受け棒体を位置せしめ、止着板の抱持部をカバー部材の裏面側に配置してなる請求項１記載の畦畔等の保護構造。
【請求項３】
止着板の両端を嵌合連結部に形成し、畦畔の裾位置で連繋接続して、田の止水機能を備えさせた請求項２記載の畦畔等の保護構造。
【請求項４】
止着板の表裏面の双方又は一方或いは下端に、くさび形状の抜け止め抵抗部を設けてなる請求項３記載の畦畔など保護構造。
【請求項５】
カバー部材が遮光性フィルムである請求項１乃至４記載のいずれかの畦畔等の保護構造。
【請求項６】
畦畔全体をカバー部材で被覆し、畦畔両裾に止着板を差し込んでなる請求項１乃至５記載のいずれかの畦畔等の保護構造。
【発明の詳細な説明】
【０００１】
【産業上の利用分野】
本発明は、畦畔や土盛り路面の法面等、雨水によって崩壊しやすい箇所の保護構造に関するものである。
【０００２】
【従来の技術及び発明が解決しようとする課題】
畦畔の保護手段は、従前より種々提案されている。コンクリート板やプラスチック板等の硬質板による保護は、畦畔の形状や大きさが一定で無ければならなく、汎用性に欠ける。
【０００３】
またシート状のカバー部材による畦畔の保護手段としては、特開平１０−３３６５８号公報に示されているように、畦畔の露出部分のみを保護する構成であり、どのような形状の畦畔にも対応できるが、杭構造の止め具でシートの端部を間欠的に止着しているにすぎなく、風で煽られると直ぐに捲り上がるという問題もあり、更に硬質板のような止水機能を備えていない構成も問題がある。
【０００４】
そこで本発明は、畦畔を保護するシート状のカバー部材を採用した新規な保護構造を提案したものである。
【０００５】
【課題を解決する手段】
本発明に係る畦畔などの保護構造は、柔軟性を備えたシート状のカバー部材と、所定長さの受け棒体と、上部に受け棒体の抱持部を備えた止着板とで構成し、止着板を保護対象の裾部分の土中に差し入れると共に、保護対象面を被覆したカバー部材の端部に受け棒体を添わせて、抱持部内に受け棒体を圧入し、カバー部材を挟持してなることを特徴とするものである。
【０００６】
従ってカバー部材を点支持とせずに、受け棒体の長さによる線支持とすることができ、耐風性に優れることになる。
【０００７】
また特に保護対象面を被覆したカバー部材の表面側に受け棒体を位置せしめ、止着板の抱持部をカバー部材の裏面側に配置してなると、畦畔を被覆するカバー部材は、裏面に巻き込まれる形態で止着されるので、カバー部材の端部に雨水が溜まらない。
【０００８】
また止着板の両端を嵌合連結部に形成し、畦畔の裾位置で連繋接続して、田の止水機能を備えさせることができ、更に止着板の表裏面の双方又は一方に、くさび形状の抜け止め抵抗部を設けることで止着板の引き抜き抵抗が増加し、カバー部材の抑えがしっかりとなる。
【０００９】
更にカバー部材を遮光性フィルムとすると、畦畔等の雑草の繁殖が抑えられることになる。
【００１０】
【実施の形態】
次に本発明の実施の形態について説明する。実施形態に示した畦畔等の保護構造は、カバー部材１と、受け棒体２と、止着板３とで構成される。
【００１１】
カバー部材１は、ビニールフィルムやポリエチレンフィルム等のシート状で、充分な強度と、必要に応じて遮光性を備えるようにしたものである。また必要に応じて穴あきシートや網状シートにしても良い。
【００１２】
受け棒体２は、直径６〜３０ｍｍ（使い易い範囲は９〜１３ｍｍ）で、長さが３００〜３６００ｍｍ（使い易い範囲は５００〜２０００ｍｍ）の塩ビ管等で、摘み部２２を螺合や接着で本体２１に連結して、本体の外周面下方に突設してなる。
【００１３】
止着板３は、止着板部３１の上方に、鉤形状の抱持部３２を連設し、止着板左右端に嵌合連結部３３，３４を設けたものである。
【００１４】
止着板部３１は、前記受け棒体２の長さと対応して３００〜３６００ｍｍ（使い易い範囲は５００〜２０００ｍｍ）の幅で、高さは１５０〜１０００ｍｍ（使い易い範囲は３００〜６００ｍｍ）程度としたもので、表裏面に抜け止め抵抗部３５を適宜間隔で多数設けたものである。この抜け止め抵抗部３５の形状は、円錐を半割したくさび状とすると、製造上並びに取扱上便利であるが、三角錐などの角錐形状としても良い。また無前記の表裏面の抜けど止め抵抗部３５に代えて或いは追加して、止着板の下端に、楔状の抜け止め抵抗部３５ａとしても良い。
【００１５】
抱持部３２は、自己の弾性力をもって前記受け棒体２をある程度の挟圧力で抱き込み、且つ受け棒体２が容易に抜け出ない形状（逆Ｕ字の鉤状）に形成したものである。この抱持部３２は、止着板部３１と一体成形で形成しても良いし、別体成形した後に連結する構造としても良い。
【００１６】
嵌合連結部３３，３４は、端縁を棒出させた圧入部（３３）と、前記圧入部（３３）が嵌合するＵ状受け部（３４）とで構成され、適宜な水密性を備えた連結構造としてなる。
【００１７】
而して図３に例示するように畦畔Ａの表面にカバー部材１を被せ、畦畔Ａの裾位置で、カバー部材１の表面側に受け棒体２を位置せしめ、止着板３をカバー部材１の裏面側に配置し、抱持部３２で受け棒体２との間にカバー部材１を挟め込むようにして三者を一体化して使用するものである。
【００１８】
具体的には、止着板３を畦畔Ａの裾位置で、嵌合連結部３３，３４で連続連繋して土中に差し込み、畦畔Ａを被覆した長尺のカバー部材１の両裾に、受け棒体２を添わせ、止着板３の上部の土面から露出した抱持部３２に圧入してカバー部材１の止着を行っていくものである。
【００１９】
特にカバー部材１は、裏面への折り返し状態となるので、畦畔Ａに降った雨水は、畦畔Ａに浸透することなく、止着板３の外側に流れ出ることになる。しかも止着板３は止水機能を備えているので、水田Ｂからの畦畔Ａ部分への水の浸透を阻止して、畦畔Ａの崩壊が防止される。
【００２０】
また図５に例示するように、用水路Ｃと水田Ｂとの間に、板状開閉弁Ｄ付属の通水管路Ｅを設ける場合には、用水路側の止着板３に通水管路Ｅを通す透孔を設けたり、板状開閉弁Ｄ部分が止着板間に装着されるように、当該隣接止着板の連結部を板状開閉弁Ｄが装着できる構造としても良い。
【００２１】
【発明の効果】
以上のように本発明は、柔軟性を備えたシート状のカバー部材と、所定長さの受け棒体と、上部に受け棒体の抱持部を備えた止着板とで構成し、止着板を保護対象の裾部分の土中に差し入れると共に、保護対象面を被覆したカバー部材の端部に受け棒体を添わせて、抱持部内に受け棒体を圧入し、カバー部材を挟持してなる畦畔などの保護構造で、カバー部材の採用によって畦畔形状に制限を受けることが無く、しかもカバー部材の止着が線支持であって、しっかりと止められ、風に対する耐力も優れ、且つ止着板による止水機能も発揮できる。
【図面の簡単な説明】
【図１】本発明の実施形態の受け棒体と止着板の斜視図。
【図２】同部材連結状態の要部拡大断面図。
【図３】同畦畔への使用状態の説明図。
【図４】同隣接止着板の連結説明図。
【図５】同用水路への使用状態の説明図。
【符号の説明】
１　　　カバー部材
２　　　受け棒体
２１　　本体
２２　　摘み部
３　　　止着板
３１　　止着板部
３２　　抱持部
３３，３４　嵌合連結部
３５　　抜け止め抵抗部
【図１】
2004052452.tif 000003
【図２】
2004052452.tif 000004
【図３】
2004052452.tif 000005
【図４】
2004052452.tif 000006
【図５】
2004052452.tif 000007